(57)【要約】カラー表示スクリーンは、複数のセル（２）を有する。夫々のセル（２）は、第１の色の第１の出力光及び第２の色の第２の出力光を供給する能力を有する画素（Ｐ）と、光学表示制御信号（Ｌｉ）を電気信号（Ｉ）に変換するための感光性デバイス（Ｄ）とを有する。光学表示制御信号（Ｌｉ）は、第１の出力光及び第２の出力光を制御するよう、第１の出力光及び第２の出力光に関する情報を含む。感光性デバイス（Ｄ）は、第１及び第２の出力光に関する情報をデコードするためのデコーダ（ＤＭ）を有する。
2007507000.tif 000002
【特許請求の範囲】
【請求項１】
複数のセルを有するカラー表示スクリーンであって、
夫々のセルは：
第１の色の第１出力光及び第２の色の第２の出力光を供給する能力を有する画素；及び
前記第１の出力光及び前記第２の出力光を制御するように、前記第１の出力光及び前記第２の出力光に関する情報を有する光学表示制御信号を電気信号に変換し、前記第１の出力光及び前記第２の出力光に関する情報をデコードするためのデコード手段を有する感光性デバイス；
を有することを特徴とするカラー表示スクリーン。
【請求項２】
前記光学表示制御信号は、前記第１の出力光に関する情報を有し、第１のスペクトラムを有する第１の光学表示制御信号と、前記第２の出力光に関する情報を有し、第２のスペクトラムを有する第２の光学表示制御信号とを有し、
前記デコード手段は、前記第１の光学表示制御信号にフィルタをかける第１の波長感受フィルタと、前記第２の光学表示制御信号にフィルタをかける第２の波長感受フィルタとを有する、
ことを特徴とする請求項１記載のカラー表示スクリーン。
【請求項３】
夫々のセルは、他の感光性デバイスを有し、
前記画素は、前記第１の出力光を供給する第１のサブ画素を有し、
該第１のサブ画素は、第１の波長感受フィルタを有するデコード手段を夫々が有する前記感光性デバイス及び前記他の感光性デバイスへ結合されている、
ことを特徴とする請求項１記載のカラー表示スクリーン。
【請求項４】
前記光学表示制御信号は、前記第１の出力光及び第２の出力光に関する情報を連続的に有し、
前記デコード手段は、前記光学表示制御信号に連続的に含まれる情報と同期して、前記画素の第１の出力光及び第２の出力光をアクティブにする手段を有する、
ことを特徴とする請求項１記載のカラー表示スクリーン。
【請求項５】
前記アクティブにする手段は、前記複数のセルの感光性デバイスの全てに共通する第１のスイッチ及び第２のスイッチを有し、
前記画素は、第１のサブ画素及び第２のサブ画素を有し、
前記複数のセルの第１のサブ画素の夫々は、前記第１のスイッチを介して第１の電源電圧へ結合され、
前記複数のセルの第２のサブ画素の夫々は、前記第２のスイッチを介して第２の電源電圧へ結合され、
前記第１のスイッチ及び前記第２のスイッチは、前記情報と同期して、動作可能である、
ことを特徴とする請求項４記載のカラー表示スクリーン。
【請求項６】
前記感光性デバイスは、感光性素子を更に有し、
前記デコード手段は、前記第１の出力光及び前記第２の出力光に関する情報の間で逐次、前記感光性素子をリセットするリセットスイッチを更に有する、
ことを特徴とする請求項４記載のカラー表示スクリーン。
【請求項７】
前記画素は、第１のサブ画素及び第２のサブ画素を有し、
前記感光性素子は、前記第１のサブ画素へ結合され、
前記光学表示制御信号は、第１のフレーム期間では前記第１の出力光に関する情報を、及び第２のフレーム期間では前記第２の出力光に関する情報を有し、
前記デコード手段は、前記第１のフレーム期間の間に前記第１の出力光に関する情報をデコードし、前記第１のフレーム期間の間のデコードに依存して、前記第２のフレーム期間の間に前記第１のサブ画素を駆動するように構成される、
ことを特徴とする請求項４記載のカラー表示スクリーン。
【請求項８】
前記第１の出力光及び前記第２の出力光のうちの少なくとも１つに関する情報は、前記光学表示制御信号の変調であり、
前記デコード手段は、前記光学表示制御信号の変調を復調する手段を有する、
ことを特徴とする請求項１記載のカラー表示スクリーン。
【請求項９】
前記変調を復調する手段は、前記光学表示制御信号の交流成分を復調するよう構成される、ことを特徴とする請求項８記載のカラー表示スクリーン。
【請求項１０】
前記第１の波長感受フィルタは、前記画素の層によって形成される、ことを特徴とする請求項２記載のカラー表示スクリーン。
【請求項１１】
請求項１記載のカラー表示スクリーンと、前記光学表示制御信号を前記感光性デバイスへ伝送する光学画像発生源と、を有するカラー表示システム。
【請求項１２】
前記光学画像発生源は、投影装置又はレーザースキャナである、ことを特徴とする請求項１１記載のカラー表示システム。
【請求項１３】
当該カラー表示スクリーンは、タイル模様で互いに隣接して配置される、ことを特徴とする請求項１記載のカラー表示スクリーンの集合。
【発明の詳細な説明】
【技術分野】
【０００１】
本発明は、複数のセルを有するカラー表示スクリーンに関する。本発明はまた、複数のセルを有するカラー表示スクリーンを有する表示システム、及び表示スクリーンの集合に関する。
【背景技術】
【０００２】
ＧＢ２１１８８０３Ａ１は、光源及び画像増感スクリーンを有する表示装置を開示する。スクリーンは、複数のセルを有する。夫々のセルは、電子発光放射体及び感光性デバイスを有する。光源は、走査レーザにより光セルの配列を走査し、それによって、スクリーン上に表示されるべき画像に従って、異なる程度で夫々の感光性デバイスをそのビームにより照射する。照射に従って、感光性デバイスは、放射体の光出力を制御するよう配置される。スクリーンのラインに沿う水平方向において、赤、緑及び青の光を発生させる放射体を有するセルの集合が、夫々配置される。レーザがスクリーンの１つのラインを走査すると、スクリーンは、赤、緑及び青の光に対する連続的な放射が発生すべきである連続的な光出力の量に対応する照射を供給する必要がある。これは、レーザが連続的なセルを走査する間に、光源の即時切替えを要する。更に、正確なトラッキングが、スクリーン上でのレーザのビームの位置と、連続的なセルの所望の照射に対応するレベルへのレーザ出力の即時切替えとの間で必要とされる。正確なトラッキングを得るために、トラッキングシステムがスクリーン上でのレーザの位置に関する光源へのフィードバックを提供するために必要とされる。トラッキングシステムがスクリーン上で画像の正確な再生を確実にするために必要とされることが、表示装置の欠点である。
【発明の開示】
【発明が解決しようとする課題】
【０００３】
本発明は、トラッキングシステム不要の上記形式のカラー表示スクリーンを提供することを目的とする。
【課題を解決するための手段】
【０００４】
本発明は、夫々のセルが、第１の色の第１出力光及び第２の色の第２の出力光を供給する能力を有する画素と、前記第１の出力光及び前記第２の出力光を制御するように、前記第１の出力光及び前記第２の出力光に関する情報を有する光学表示制御信号を電気信号に変換し、前記第１の出力光及び前記第２の出力光に関する情報をデコードするためのデコード手段を有する感光性デバイスを有することで実現される。感光性デバイスは、情報をデコードするための手段を有するので、前記デバイスは、出力光がデバイスによって受信された光学画像制御信号に含まれた情報で制御されるべきであることを決定することができる。故に、スクリーン上での光学画像制御信号及びセルの位置の間のトラッキングを提供する必要性はない。光学画像制御信号は、例えば、スクリーンをライン毎に繰り返し走査し走査ビームであっても良く、あるいは、制御すべきセルの夫々に対する光学画像制御信号を同時に発生させる発生源からも発せられても良い。スクリーン上の光学画像制御信号の径が感光性デバイスのピッチよりも大きい限り、感光性デバイスは、この光学画像制御信号を受信して、光学画像制御信号に含まれる情報を、対応する出力光を供給するそれらの対応する画素へ導くことができる。画素は、また、２色よりも多数の色の出力光を供給する能力を有しても良い。画素は、１つ又はそれ以上のサブ画素を有しても良い。夫々のサブ画素は、特定の色を供給する。画素は、また、多色のサブ画素を有しても良い。多色のサブ画素は、その駆動電圧に依存して、異なる色を供給する能力を有する。
【０００５】
一実施例において、前記光学表示制御信号は、前記第１の出力光に関する情報を有し、第１のスペクトラムを有する第１の光学表示制御信号と、前記第２の出力光に関する情報を有し、第２のスペクトラムを有する第２の光学表示制御信号とを有し、前記デコード手段は、前記第１の光学表示制御信号にフィルタをかける第１の波長感受フィルタと、前記第２の光学表示制御信号にフィルタをかける第２の波長感受フィルタとを有する。故に、第１及び第２の出力光に関する情報が異なるスペクトラムによってエンコードされる場合には、デコード手段は、波長感受フィルタを用いる簡単な方法で実現され得る。デコード手段は、第１及び第２の光学表示制御信号が同時に存在し、且つ、それらの信号が順次に伝送される場合に、正確に機能する。
【０００６】
前記セルは、他の感光性デバイスを有し、前記画素は、前記第１の出力光を供給する第１のサブ画素を有し、該第１のサブ画素は、第１の波長感受フィルタを有するデコード手段を夫々が有する前記感光性デバイス及び前記他の感光性デバイスへ結合されている。同じサブ画素へ結合された１つよりも多い感光性デバイスを設けることによって、それらの感光性デバイス間のピッチは、より小さくなり、それによって、スクリーン上でより小さな径の光学画像制御信号を有する光学表示制御信号のデコードが可能となり、且つ／あるいは、対応する出力光を制御するよう電気信号を増大させる。
【０００７】
一実施例において、前記光学表示制御信号は、前記第１の出力光及び第２の出力光に関する情報を連続的に有し、前記デコード手段は、前記光学表示制御信号に連続的に含まれる情報と同期して、前記画素の第１の出力光及び第２の出力光をアクティブにする手段を有する。第１及び第２の出力光に関する情報が順次に伝送される場合に、特定の出力光に対応する情報は、光学表示制御信号に連続的に含まれる情報と同期してこの出力光をアクティブにすることによって、この特定の出力光に対して使用可能である。第１の出力光及び第２の出力光をアクティブにする手段は、全てのセル又はセルの組に対して１つの供給の回路を有しても良く、これは、非常に費用効果がある。同期化は、光学表示制御信号を供給する同じ発生源から受信可能な光学又は電気信号を介して得られても良い。同期化は、また、光学表示制御信号自体から得られても良い。
【０００８】
前記アクティブにする手段は、前記複数のセルの全ての感光性デバイスに共通の第１のスイッチ及び第２のスイッチを有しても良い。前記画素は、第１のサブ画素及び第２のサブ画素を有し、前記複数のセルの第１のサブ画素の夫々は、前記第１のスイッチを介して第１の電源電圧へ結合され、前記複数のセルの第２のサブ画素の夫々は、前記第２のスイッチを介して第２の電源電圧へ結合され、前記第１のスイッチ及び前記第２のスイッチは、前記情報と同期して、動作可能である。第１の電源電圧を第１のスイッチを介して第１のサブ画素へ結合することにより第１のサブ画素の夫々をアクティブにすることによって、第１のサブ画素は、第１のサブ画素へ結合された夫々の感光性デバイスによって受信される光学表示制御信号に依存して、出力光を供給することができる。第１の電源電圧が第１のサブ画素へ結合されるように第１のスイッチの動作を同期させることによって、第１の出力光に関する情報が受信される間に、第１のサブ画素は、第１の出力光に関する情報に対応して第１の出力光を供給する。第２の電源電圧が第２のサブ画素へ結合されないように第２のスイッチの動作を同時に同期させることによって、第２のサブ画素が第１の出力光に関する情報に応じて第２の出力光を供給しないことが確実にされる。同様に、第２の出力光に関する情報が受信される間に、第２のスイッチは閉じられ、第１のスイッチは開けられる。第１の電源電圧及び第２の電源電圧は異なる電圧であっても良いが、１つの共通電圧であっても良い。
【０００９】
前記感光性デバイスは、感光性素子を更に有し、一方、前記デコード手段は、前記第１の出力光及び前記第２の出力光に関する情報の間で逐次、前記感光性素子をリセットするリセットスイッチを更に有する場合が有利である。リセットスイッチを加えることによって、感光性素子は、特定の出力光に関する情報が光学表示制御信号に存在する時間期間の開始の十分前に、所定の状態へリセットされても良い。この方法では、感光性デバイスは、その時間期間の間に供給される情報に従って、対応するサブ画素へのみ電気信号を供給する。故に、この時間期間の間の電気信号は、感光性素子の状態を変更した前の情報に、もはや依存しない。
【００１０】
前記画素は、第１のサブ画素及び第２のサブ画素を有し、前記感光性素子は、前記第１のサブ画素へ結合され、前記光学表示制御信号は、第１のフレーム期間では前記第１の出力光に関する情報を、及び第２のフレーム期間では前記第２の出力光に関する情報を有し、前記デコード手段は、前記第１のフレーム期間の間に前記第１の出力光に関する情報をデコードし、前記第１のフレーム期間の間のデコードに依存して、前記第２のフレーム期間の間に前記第１のサブ画素を駆動するように構成される場合が有利である。第１のフレーム期間の間に第１の出力光に対応する情報をデコードすることによって、複数のセルの夫々の感光性素子は、それが結合されたサブ画素に対する情報を受信することができる。対応するサブ画素を駆動するために、続くフレーム期間の間にのみこの情報を用いることによって、夫々のサブ画素は、一定の時間期間、即ち、フレーム期間の間に駆動される。２色よりも多い色が伝送される場合には、夫々のサブ画素は、２つ又はそれ以上のフレーム期間の間に駆動されても良い。駆動は、また、フレーム期間の間になされても良く、このとき、デコードがなされる。この場合に、複数のセルの特定の出力光に関する情報が連続して伝送されると、特定のサブ画素の駆動の持続期間は、伝送列におけるこの特定のサブ画素の情報の位置に依存しうる。結果として、画素の出力光の量は、ある程度まで、スクリーン上の画素の位置に依存しうる。この最後の場合の利点は、夫々の色が、順次に供給されるのではなくて、夫々のフレームの間に供給される点である。故に、カラー・フラッシュ効果とも呼ばれる、連続した色の視認性を潜在的に妨げることは、回避される。更に、スクリーン上の画素の位置への依存は、多数の方法で低減されうる。１つの方法は、高速なアドレス指定を適用することである。これによって、サブ画素は、先ず第１に、所望のレベルの出力光を供給するように設定され、その後、アドレス指定の時間よりも通常長い所定の時間期間の間に、サブ画素は、この所望のレベルの出力を供給し続ける。第２の方法は、第１及び第２の出力光に関する情報の前処理を適用することであり、それによって、サブ画素がスクリーン上のその位置に依存してその出力光を供給する時間の持続期間の差を考慮する。第３の方法は、走査リセットを適用することである。これによって、ライン又はラインの組は、連続して、同時にではなく、リセットされる。更に、上記方法の組み合わせを適用することが可能である。
【００１１】
一実施例において、前記第１の出力光及び前記第２の出力光のうちの少なくとも１つに関する情報は、前記光学表示制御信号の変調であり、前記デコード手段は、前記光学表示制御信号の変調を復調する手段を有する。この場合、光学表示制御信号の発生源は、単色発生源であっても良い。更に、共通のリセットが、感光性デバイスをリセットするために複数のセル、及び／又は画像に関する情報が伝送される前の画素へ印加されても良い。
【００１２】
前記変調を復調する手段は、前記光学表示制御信号の交流成分を復調するよう構成されても良い。交流成分は、簡単な回路を用いて、容易に復調可能である。
【００１３】
前記第１の波長感受フィルタは、前記画素の層によって形成されても良い。波長感受フィルタとしての画素の層を用いることによって、より少ない処理ステップでスクリーンを制御することができる。
【００１４】
本発明の表示スクリーンは、複数のセルの夫々の画素によって供給する光を伝えるための前面部を有しても良い。複数のセルの夫々の感光性デバイスは、前面部から見て外方に向くスクリーンの側に置かれた発生源からの光学表示制御信号を受信するよう構成される。背面投影を適用することは、光学表示制御信号の発生源がスクリーンの後ろに隠されているという利点を有する。
【００１５】
代替的には、スクリーンは、前面投影のために配置されても良い。感光性デバイスは、前面部に配置される。
【００１６】
画素は、別の光発生源及び自発光画素からの光を伝送又は反射する形式から成っても良い。
【００１７】
本発明のスクリーンの複数のセルの感光性デバイスは、目に見えない光又は可視光の光学表示制御信号を受信するよう構成されても良い。可視光スペクトラムの外側の光学表示制御信号を発生させる発生源を適用する場合に、光学表示制御信号とスクリーン内の画素により変調されたと可視光との間の干渉が回避される。更に、このようなスクリーンは、周囲の照明状態に敏感ではない。
【００１８】
本発明は、上記カラー表示スクリーンを有する表示システムと、光学表示制御信号を感光性デバイスへ伝送するための光学画像発生源とを更に提供する。
【００１９】
前記光学画像発生源は、投影装置又はレーザースキャナであっても良い。
【００２０】
本発明は、タイル模様で互いに隣接して配置されたカラー表示スクリーンの集合を更に提供する。夫々の表示スクリーンは、１０よりも少ないオーダーである少数の接続のみを有するので、表示部の集合の対応する接続を相互接続することは比較的容易である。この少数の接続により、タイル模様で互いに隣接する表示スクリーンを並べることも比較的容易である。
【発明を実施するための最良の形態】
【００２１】
本発明のこれら及び他の態様を、図面を参照して明瞭として、説明する。
【００２２】
異なる図で同じ参照符号が見られるのは、同じ信号、又は同じ機能を実行する素子を参照するためである。
【００２３】
図１で示されている表示システム６は、表示スクリーン５及び光学画像発生源３を有する。表示スクリーンは、表示パネル１を有する。表示パネル１は、行及び列のマトリクス状に配置された複数のセル２を有する。パネル１は、夫々のセル２が外部の光学画像発生源３を介してアドレス指定されるので、如何なる行又は列の電極も必要としない。発生源３は、セル２の夫々によって受け取られる光学表示制御信号Ｌｉを供給する。このため、セル２は、行及び列での構造とは異なる如何なる任意の構造で配置されても良い。例えば、放射状、対角線状、又は円状の構造のような他の構造が適用されても良い。セル２は、また、多様な形状を有しても良い。パネル１は、リセット信号ＲＳと、例えば、
リセット電圧ＶＲ、
第一の電源電圧Ｖ１、及び
第二の電源電圧Ｖ２、
のような、幾つかの電圧とを受けるための接続を有する。リセット信号ＲＳ及び電圧は、パネル１の夫々のセル２へ結合されている。表示システムの動作を、セル（２）の実施例を参照して説明する。
【００２４】
図２に示されているように、セル２は、感光性デバイスＤ及び画素Ｐを有する。セル２は、発生源３からの光学表示制御信号Ｌｉを受ける。セル２の感光性デバイスＤを介して、光学表示制御信号Ｌｉは、電気信号Ｉに変換される。セル２の画素Ｐは、第１の色の第１の出力光Ｌｏ１と、第２の色の第２の出力光Ｌｏ２とを供給する。第１及び第２の出力光Ｌｏ１、Ｌｏ２は、電気信号Ｉにより制御される。感光性デバイスＤは、光学表示制御信号Ｌｉと比較して、第１及び第２の出力光Ｌｏ１、Ｌｏ２に関する情報をデコードするデコード手段ＤＭを更に有する。従って、光学表示制御信号Ｌｉがスクリーン５に達する位置で、デコード手段ＤＭは、感光性デバイスが、所望の色の光を供給するように、画素Ｐを駆動する電気信号Ｉを供給すること、を確実にする。これは、光源３及び表示スクリーン５を整列すること、又は光学表示制御信号Ｌｉが特定の色に結合された感光性デバイスに正確に達することを確実にするためにトラッキングシステムを提供することが、必要とされないことを意味する。デコード手段ＤＭ（又は少なくともその主要部分）は、図３に示す波長感受フィルタによって、図８に示す光学表示制御信号Ｌｉの変調をデコードするデコード手段によって、あるいは、図５に示す光学表示制御信号Ｌｉと同期して動作可能なスイッチによって、形成されても良い。
【００２５】
図３に示したセル２の感光性デバイスＤは、第１の波長感受フィルタＦ１及び第２の波長感受フィルタＦ２、又は夫々のフィルタＦ１、Ｆ２が結合された感光性デバイスＤの対応する感光性素子ＳＥ１、ＳＥ２を有するデコード手段ＤＭを有する。感光性素子ＳＥ１、ＳＥ２は、光学表示制御信号Ｌｉを電子出力信号に変換する。光学表示制御信号Ｌｉは、第１の出力光に関する情報を有し、第１のスペクトラムを有する第１の光学表示制御信号Ｌｉ１と、第２の出力光に関する情報を有し、第２のスペクトラムを有する第２の光学表示制御信号Ｌｉ２とを有する。第１の波長感受フィルタＦ１は、第１の光学表示制御信号Ｌｉ１にフィルタをかけるように構成されており、第２の波長感受フィルタＦ２は、第２の光学表示制御信号Ｌｉ２にフィルタをかけるように構成されている。フィルタリングにより、十分に第１のスペクトラム及び第２のスペクトラムの夫々の範囲内にある波長は、十分に第１及び第２の夫々のスペクトラムの外にあるフィルタ及びブロッキング波長を通過することが可能である。感光性素子ＳＥ１、ＳＥ２は、フィルタをかけられた第１の光学表示制御信号Ｌｉ１及び第２の光学表示制御信号Ｌｉ２を、画素Ｐを制御する電気信号Ｉに変換する。画素Ｐは、第１の出力光Ｌｏ１を供給する第１のサブ画素ＳＰ１と、第２の出力光Ｌｏ２を供給する第２のサブ画素ＳＰ２とを有しても良い。この場合には、電気信号Ｉは、２つの別々の信号であって、第１の電気信号は、感光性素子の第１の１つＳＥ１又はＳＥ２から発生して、第１の出力光に関する情報に対応し、第２の電気信号は、感光性素子の第２の１つＳＥ２又はＳＥ１から発生して、第２の出力光に関する情報に対応する。第１の電気信号は、第１の出力光Ｌｏ１を制御するために第１のサブ画素ＳＰ１へ結合され、第２の電気信号は、第２の出力光Ｌｏ２を制御するために第２のサブ画素ＳＰ２へ結合される。代替的には（図示せず。）、画素Ｐは、多色画素であっても良い。この場合には、多色画素は、感光性素子ＳＥ１、ＳＥ２の第１及び第２の１つから発生する信号の組み合わせによって制御されても良い。
【００２６】
サブ画素及びこのようなサブ画素を駆動する回路の例並びに感光性素子の例は、本願に援用されている欧州特許出願０３１０１９０９．４及び０３１０１３６６．７に開示されている。
【００２７】
波長感受フィルタは、液晶型ディスプレイで使用されるカラーフィルタによって、あるいは、カラー有機ＬＥＤディスプレイに対して使用される放射ポリマーによって、形成されても良い。この場合には、光学表示制御信号Ｌｉは、可視的波長の範囲内のスペクトラムを有する。
【００２８】
図４に示したセル２は、２つの感光性デバイスＤを有する。夫々のデバイスは、第１の感光性素子ＳＥ１へ結合された第１の波長感受フィルタＦ１を有するデコード手段ＤＭを有する。画素Ｐは、第１のサブ画素ＳＰ１及び第２のサブ画素ＳＰ２を有する。２つの感光性デバイスＤの夫々の第１の感光性素子ＳＥ１から発生する電気信号Ｉは、光出力Ｌｏ１が２つの感光性デバイスによってデコードされる第１の出力光に関する情報の和に十分に比例するように、サブ画素ＳＰ１へ供給される。セル２は、また、２以上の感光性デバイスＤを有しても良い。夫々の感光性デバイスＤは、図３に示した２つ又はそれ以上の異なる波長感受フィルタＦ１、Ｆ２を有しても良い。
【００２９】
図５に示したセル２において、感光性デバイスＤは、感光性素子ＳＥ及びデコード手段ＤＭを有する。デコード手段ＤＭは、画素Ｐの第１の出力光Ｌｏ１及び第２の出力光Ｌｏ２をアクティブにする手段ＭＦＡを有する。光学表示制御信号Ｌｉは、第１の出力光に関する情報及び第２の出力光に関する情報を連続的に有する。感光性素子ＳＥは、光学表示制御信号Ｌｉを、アクティブにする手段ＭＦＡへ結合された電気出力信号に変換する。アクティブにする手段ＭＦＡは、１つのアクティブ化回路ＭＦＡであっても良い。アクティブ化回路ＭＦＡは、複数のセル２の夫々に対して共通である。アクティブにする手段ＭＦＡは、光学表示制御信号Ｌｉに連続的に含まれる情報に同期して、画素Ｐの第１の出力光Ｌｏ１及び第２の出力光Ｌｏ２をアクティブにする。
【００３０】
図５に示した実施例では、アクティブにする手段ＭＦＡは、複数のセル２の全ての感光性デバイスに対して共通である第１のスイッチＳ１及び第２のスイッチＳ２を有する。画素（Ｐ）は、第１のサブ画素ＳＰ１及び第２のサブ画素ＳＰ２を有する。複数のセル２の第１のサブ画素ＳＰ１の夫々は、第１のスイッチＳ１を介して第１の電源電圧Ｖ１へ結合される。複数のセル２の第２のサブ画素ＳＰ２の夫々は、第２のスイッチＳ２を介して第２の電源電圧Ｖ２へ結合される。第１のスイッチＳ１及び第２のスイッチＳ２は、光学表示制御信号Ｌｉに含まれる第１の出力光に関する情報及び第２の出力光に関する情報に同期して動作可能である。感光性デバイスは、この情報を、第１のサブ画素ＳＰ１及び第２のサブ画素ＳＰ２へ結合されている電気信号Ｉに変換する。第１の出力光に関する情報が第１の時間間隔の間に受け取られている間に、第２サブ画素ＳＰ２は、第２のスイッチＳ２を介して第２のサブ画素ＳＰ２への第２の電源電圧Ｖ２の供給を中断することによってディアクティブにされる。この時間間隔の間に、第１のサブ画素ＳＰ１は、第１のスイッチＳ１を介して第１の電源電圧Ｖ１を第１のサブ画素ＳＰ１へ結合することによってアクティブにされる。このようにして、第１のサブ画素ＳＰ１が第１の出力光に関する情報によって制御されることが確実にされる。同様に、第２のサブ画素ＳＰ２は、第２の出力光に関する情報によって制御される。
【００３１】
デコード手段ＤＭは、第１の出力光及び第２の出力光に関する情報の間で逐次、感光性素子ＳＥをリセットするためのリセットスイッチＳＲを更に有しても良い。このような感光性素子ＳＥ及びリセットスイッチＳＲを有する回路の実施例は、上述した欧州特許出願０３１０１９０９．４及び０３１０１３６６．７に開示されている。
【００３２】
図６は、セル２の一部の回路図を示す。セルは、基準電圧Ｖｒｅｆ、第１の電源電圧Ｖ１、接地レベルであっても良い他の電源電圧、画素リセット電圧ＶＰＲ、リセット電圧ＶＲ及びリセット信号ＲＳを受信する端子を有する。基準電圧Ｖｒｅｆの端子とノードＶＤとの間には、トランジスタＴ１が、光学表示制御信号Ｌｉを受信するために、感光性素子ＳＥに直列に結合されている。キャパシタＣは、基準電圧ＶｒｅｆとノードＶＤとの間に結合されている。駆動トランジスタＤＴの主要端子は、第１の電源電圧Ｖ１へ結合されている。駆動トランジスタＤＴの制御端子は、ノードＶＤへ結合されている。駆動トランジスタの他の主要端子は、第２のトランジスタＴ２の主要端子へ結合されている。第２のトランジスタＴ２の他の主要端子は、第１の出力光Ｌｏ１を供給するために、第１のサブ画素ＳＰ１の第１の端子へ結合されている。第１のサブ画素の第２の端子は、接地レベルへ結合されている。第１のサブ画素の第１の主要端子は、第３のトランジスタＴ３の主要端子へ結合されている。第３のトランジスタＴ３の他の主要端子は、画素リセット電圧ＶＰＲへ結合されている。リセットスイッチＳＲは、その主要端子を介してノードＶＤとリセット電圧ＶＲとの間に結合されている。リセット信号ＲＳは、第１のトランジスタＴ１、第２のトランジスタＴ２及び第３のトランジスタＴ３の制御端子へ結合されている。更に、リセット信号ＲＳは、高域通過フィルタＨＰＦを介して、リセットスイッチＳＲの制御端子へ結合されている。
【００３３】
以下、図６に示したセル２の実施例の動作を、図７に示した時間ｔの関数として波形を参照して説明する。
【００３４】
第１のフレーム期間Ｔｆ１の間に、リセット信号ＲＳの低電位（ｌｏｗ）から高電位（ｈｉｇｈ）への遷移は、高域通過フィルタＨＰＦを介して、短パルスＳＲＳをもたらす。短パルスＳＲＳの間に、リセットスイッチＳＲは閉じられる。リセットスイッチＳＲを介して、リセット電圧ＶＲはノードＶＤへ結合される。リセット電圧ＶＲは一定電圧であっても良い。結果として、電圧ＶＤは、瞬時にリセット電圧ＶＲのレベルへ達する。リセット電圧ＶＲは、望ましくは、第１の電源電圧Ｖ１に十分に等しく、一方、基準電圧Ｖｒｅｆは、望ましくは、第１の電源電圧Ｖ１よりも低い。代替的には（図示せず。）、リセット信号を変換するよう高域通過フィルタＨＰＦを適用する代わりに、短パルスＳＲＳに対応する別のリセット信号が供給されても良い。
【００３５】
第１のフレーム期間Ｔｆ１の間に、第２のトランジスタＴ２が、リセット信号ＲＳによってオフとされて、駆動トランジスタＤＴからの如何なる電流も遮断する。第３のトランジスタＴ３は、リセット信号ＲＳによってオンとされて、第１のサブ画素ＳＰ１の両端の電圧を、第１のサブ画素ＳＰ１が第１の出力光Ｌｏ１を供給しないような値へリセットする。更に、リセット信号ＲＳは、第１のトランジスタＴ１をオンとし、それによって、感光性素子ＳＥが、感光性素子によって受信された光学表示制御信号Ｌｉに依存してキャパシタＣを放電することを可能にする。結果として、ノードＶＤの電圧は、短パルスＳＲＳの後に下がり始める。故に、ノードＶＤの電圧は、第１のフレーム期間の間に、光学表示制御信号Ｌｉに依存して、リセット電圧ＶＲから、より低い値へと下がる。
【００３６】
光学表示制御信号Ｌｉが受信されない場合には、キャパシタＣは放電されないので、ノードＶＤの電圧は、曲線“Ｌ＝０”で表されるように、一定のままである。光学表示制御信号Ｌｉが最大レベルＬｍａｘに対応する場合には、キャパシタＣは、第１のフレーム期間Ｔｆ１の間にほぼ完全に放電され、結果として、“Ｌｉ＝Ｌｍａｘ”で表された曲線が得られる。光学表示制御信号Ｌｉが零と最大レベルＬｍａｘの間のレベルに対応する場合には、キャパシタＣは、第１のフレーム期間Ｔｆ１の間に部分的に放電され、結果として、“０＜Ｌｉ＜Ｌｍａｘ”で表される曲線が得られる。
【００３７】
第２のフレーム期間Ｔｆ２の間に、リセット信号ＲＳは低電位（ｌｏｗ）であり、それによって、第１のトランジスタＴ１及び第３のトランジスタＴ３がオフとされたままであり、一方、第２のトランジスタＴ２はオンとされる。リセットスイッチＳＲは、短パルスにより影響を及ぼされず、開いたままである。
【００３８】
結果として、第２のフレーム期間Ｔｆ２の間に、電流ＩＬは、駆動トランジスタＤＴ及び第一のサブ画素ＳＰ１を流れる。この電流ＩＬは、ノードＶＤの電圧に依存する。この電圧は、キャパシタＣが、駆動トランジスタＤＴの制御端子を流れる電流が無視できる場合に、その充電を続けるので、第２のフレーム期間Ｔｆ２の間に、ほぼ不変なままである。故に、駆動トランジスタＤＴは、第２のフレーム期間Ｔｆ２の間に、その制御端子において、第１のフレーム期間Ｔｆ１の間に受信された光学表示制御信号Ｌｉに比例する一定電圧を十分に受ける。
【００３９】
Ｌｉ＝Ｌｍａｘの場合には、電流ＩＬは、第２のフレーム期間Ｔｆ２の間、その最大レベルにあり、最大レベルを有する第１のサブ画素ＳＰ１の第１の出力光Ｌｏ１をもたらす。Ｌｉ＝０の場合には、電流ＩＬは、零のままであって、第１のサブ画素ＳＰ１は、第１の出力光Ｌｏ１を供給しない。０＜Ｌｉ＜Ｌｍａｘの場合には、電流ＩＬは、第２のフレーム期間Ｔｆ２の間、中間値にあるので、第１のサブ画素ＳＰ１は、第１の出力光Ｌｏ１の中間レベルを供給する。故に、第２のフレーム期間Ｔｆ２の間に第１のサブ画素ＳＰ１によって供給される第１の出力光Ｌｏ１のレベルは、第１のフレーム期間ＴＦ１の間に受信される光学表示制御信号Ｌｉに比例する。
【００４０】
故に、光学表示制御信号Ｌｉが、連続的なフレーム期間Ｔｆ１、Ｔｆ２、Ｔｆ３において、夫々、第１、第２及び第３の出力光に関する情報を伝送する場合には、図６の実施例では、第１のサブ画素は、第２のフレーム期間Ｔｆ２及び第３のフレーム期間Ｔｆ３の間に第１の出力光Ｌｏ１を供給する。同様に、第２のフレーム期間の間は高電位（ｈｉｇｈ）を有する他のリセット信号ＲＳを受信し、第２の出力光Ｌｏ２を供給する第２のサブ画素ＳＰ２を有する図６と同じ回路は、第２のフレーム期間Ｔｆ２の間に受けた出力光に関する情報に基づいて、第３のフレーム期間Ｔｆ３及びその直後のフレームの間に第２の出力光Ｌｏ２を供給する。
【００４１】
代替的には、図６の回路では、第２のトランジスタＴ２が削除されても良く、それによって、駆動トランジスタを直接的に第１のサブ画素ＳＰ１へ結合する。第１のサブ画素ＳＰ１が第１のフレーム期間Ｔｆ１の間に出力光を供給しないことを確実とするために、第１の電源電圧Ｖ１は、例えば、図５に示した共通の第１のスイッチＳ１を用いて、この期間の間、接続を切られている。
【００４２】
代替的には、図６の回路は、第２のトランジスタＴ２をオンとする高電位のリセット信号ＲＳを有することによって及び短パルスＳＲＳをリセット信号ＲＳの代わりに第３のトランジスタＴ３の制御端子へ結合することによって、変形されても良い。結果として、フレーム期間Ｔｆ１の開始時に、第１のサブ画素ＳＰ１の両端の電圧は、急速に画素リセット電圧ＶＰＲへリセットされる。第１のフレーム期間Ｔｆ１の間、駆動トランジスタは導通しているので、電流ＩＬが第１のサブ画素ＳＰ１を流れる。電流ＩＬは、上述したように、ノードＶＤの電圧に依存する。結果として、第１のサブ画素は、第１のフレーム期間Ｔｆ１の間に、この第１のフレーム期間Ｔｆ１の間に受信された光学表示制御信号Ｌｉに依存するレベルへ充電される。第２及び第３のフレーム期間Ｔｆ２、Ｔｆ３の間に、第２のトランジスタＴ２は、リセット信号ＲＳによってオフとされ、第１のサブ画素の両端の電圧は一定のままである。故に、第１のフレーム期間Ｔｆ１の間に、第１のサブ画素ＳＰ１は、出力光Ｌｏ１を供給し始める。第１のサブ画素ＳＰ１は、第１のフレーム期間Ｔｆ１の終了時に到達したレベルで、第２の及び第３のフレーム期間Ｔｆ２、Ｔｆ３の間、出力光Ｌｏ１を供給し続ける。
【００４３】
図８に示したセル２の実施例において、光学表示制御信号Ｌｉは、第１の出力光及び第２の出力光のうちの少なくとも１つに関する情報で変調される。デコード手段ＤＭは、光学表示制御信号Ｌｉの変調を復調する手段ＤＥＭを有する。光学表示制御信号Ｌｉは、最初に、感光性素子ＳＥによって電気出力信号に変換される。電気出力信号は、復調手段ＤＥＭへ供給される。例えば、振幅変調、パルス幅変調又はパルス振幅変調のような、光学表示制御信号Ｌｉの変調及び復調手段による対応する復調の如何なる周知の方法が適用されても良い。復調された出力は、対応するサブ画素へ結合された１つ又はそれ以上の電気信号Ｉであっても良い。
【００４４】
パルス振幅変調をなされた光学表示制御信号Ｌｉを復調するためのデコード手段ＤＭを有するセルの実施例を図９に示す。セル２は、感光性デバイスＤへ結合された基準電圧Ｖｒｅｆと、駆動トランジスタＤＴの主要端子へ結合された第１の電源電圧Ｖ１とを受けるための端子を有する。駆動トランジスタＤＴの他の主要端子は、画素Ｐの第１のサブ画素ＳＰ１の第１の端子へ結合されている。第１のサブ画素ＳＰ１の第２の端子は、接地レベルであっても良い他の電源電圧へ結合されている。
【００４５】
光セルは、第３のスイッチＳ３及び第３の感光性素子ＳＥ３の第１の直列接続と、第４のスイッチＳ４及び第４の感光性素子ＳＥ４の第２の直列接続と、キャパシタＣと、リセットスイッチＳＲとを有する。リセットスイッチＳＲは、図９に示したように、トランジスタにより形成されても良い。第１の直列接続は、接地であっても良い電源電圧とノードＶＤとの間に結合されている。キャパシタＣ及び第２の直列接続は、基準電圧ＶｒｅｆとノードＶＤとの間で並列結合されている。ノードＶＤは、また、リセットスイッチＳＲの第１の主要端子へ及び駆動トランジスタＤＴの制御端子へ結合されている。リセットスイッチＳＲの第２の主要端子は、リセット電圧ＶＲへ結合されている。リセットスイッチＳＲの制御端子は、リセット信号ＲＳを受信するための端子へ結合されている。
【００４６】
図９の光学表示制御信号Ｌｉは、図１０に示したように変調される。時間ｔの関数として光学表示制御信号Ｌｉの振幅は、直流成分ＬｉＤＣと、振幅においてパルス変調された交流成分ＬｉＡＣを有する。交流成分ＬｉＡＣは、フレーム期間Ｔｆよりも小さな回数である周期時間Ｔａｃを有する。フレーム期間Ｔｆは、全ての画像に関する情報が光学表示制御信号Ｌｉを介して伝送される時間周期である。リセット信号ＲＳは、新しいフレーム期間Ｔｆの開始前に、１つのパルスをリセットスイッチＳＲへ供給する。このパルスの間に、リセットスイッチＳＲは、導通して、リセット電圧ＶＲをノードＶＤへ結合する。結果として、キャパシタＣは、ノードＶＤがリセット電圧ＶＲのレベルに達するまで、急速に充電される。リセットパルスの終了時に、リセットスイッチＳＲはオフとされる。フレーム期間Ｔｆの残りの期間の間にキャパシタＣを充電又は放電することは、第１及び第２の直列接続に依存する。光学表示制御信号Ｌｉが周期時間Ｔａｃの間に高い振幅を有する間は、第３のスイッチＳ３は閉じられ、第４のスイッチＳ４は開けられる。光学表示制御信号Ｌｉが周期時間Ｔａｃの間に低い振幅を有する間は、第３のスイッチＳ３は開けられ、第４のスイッチＳ４は閉じられる。結果として、キャパシタＣは、光学表示制御信号Ｌｉが低い振幅を有する間に放電され、光学表示制御信号Ｌｉが高い振幅を有する間に充電される。光学表示制御信号Ｌｉの低い振幅及び高い振幅の持続期間の割合並びに高い振幅と低い振幅との間の差に依存して、キャパシタＣは、フレーム期間の間に放電される。従って、ノードＶＤの電圧は、フレーム期間Ｔｆの開始時のその電圧に対するフレーム期間Ｔｆの終了時の電圧差ｄＶＤを有する。この電圧差ｄＶＤは、光学表示制御信号Ｌｉの高い振幅と低い振幅との間の差に比例し、第１のサブ画素ＳＰ１を駆動するために使用されても良い。故に、電圧差ｄＶＤをもたらす交流成分ＬｉＡＣは、第１のサブ画素ＳＰ１を制御するために使用されても良く、一方、直流成分ＬｉＤＣは、他のサブ画素ＳＰ２（図示せず。）を制御するために使用されても良い。
【００４７】
留意すべきは、上述した実施例は本発明を説明しているのであって、限定しているわけでなく、当業者は添付の特許請求の範囲の適用範囲から外れずに多数の別の実施例を設計できることである。特許請求の範囲において、括弧内に置かれた如何なる参照符号も請求項を限定するように解釈されるべきではない。動詞“有する”の使用及びその活用は、請求項で示された以外の要素又はステップの存在を認めないわけではない。各要素の前に付けられた冠詞“一つの”は、このような要素が複数個存在することを認めないわけではない。幾つかの手段を列挙された装置クレームにおいて、これらの手段の幾つかは、ハードウェアの同一の物品によって具現化されても良い。特定の方法が相互に異なる従属請求項で列挙されるという事実は、それらの方法の組み合わせが有利に使用されえないことを示すわけではない。
【図面の簡単な説明】
【００４８】
【図１】本発明に従う表示システムの一実施例のブロック図を示す。
【図２】本発明に従う表示スクリーンに適用されるセルの実施例のブロック図を示す。
【図３】本発明に従う表示スクリーンに適用されるセルの実施例のブロック図を示す。
【図４】本発明に従う表示スクリーンに適用されるセルの実施例のブロック図を示す。
【図５】本発明に従う表示スクリーンに適用されるセルの実施例のブロック図を示す。
【図６】本発明に従う表示スクリーンに適用されるセルの一部の実施例の回路図である。
【図７】図６の回路図の波形を示す。
【図８】本発明に従う表示スクリーンに適用されるセルの実施例のブロック図を示す。
【図９】図８に示されたセルの一部の実施例の回路図を示す。
【図１０】図９の回路図の波形を示す。
【図１】
2007507000.tif 000003
【図２】
2007507000.tif 000004
【図３】
2007507000.tif 000005
【図４】
2007507000.tif 000006
【図５】
2007507000.tif 000007
【図６】
2007507000.tif 000008
【図７】
2007507000.tif 000009
【図８】
2007507000.tif 000010
【図９】
2007507000.tif 000011
【図１０】
2007507000.tif 000012
【国際調査報告】
2007507000.tif 000013
2007507000.tif 000014
2007507000.tif 000015